(57)【要約】      （修正有）【課題】好適な保水機能を有する植木鉢を提供する。【解決手段】有底上面開口型の容器である鉢本体と、当該鉢本体内の土壌を上下に分割する半球状の離隔体とからなり、当該鉢本体は、その底面に水抜き兼空気流通用の通口を穿設するとともに、当該鉢本体の周側壁内面の全部又は一部に保水材を付着しておき、前記離隔体は、中央部に大径の通孔部を穿設するとともに、その周囲の球壁には小径の通孔部を穿設し、同隔離体の開口部は鉢本体の開口周縁と気密に接合する形状に形成し、更に、当該離隔体の下面には保水材を付着しておき、前記離隔体を鉢本体内に組合せ装着して、当該鉢本体の容器内を上下に分割たとき、離隔体より下側の部分に水分の吸水・保持・滲み出し作用のできる水分調整部を設ける。【選択図】図６
0003125639.tif 000002
【実用新案登録請求の範囲】
【請求項１】
有底上面開口型の容器である鉢本体と、当該鉢本体内の土壌を上下に分割する半球状の離隔体とからなり、
当該鉢本体は、その底面に水抜き兼空気流通用の通口を穿設するとともに、当該鉢本体の周側壁内面の全部又は一部に保水材を付着してあり、
当該離隔体は、その中央部に大径の通孔部を穿設するとともに、その周囲の球壁には小径の通孔部を穿設し、同離隔体の開口部は鉢本体の開口周縁と気密に接合する形状に形成し、更に、当該離隔体の下面には保水材を付着してあり、
前記離隔体を前記鉢本体内に嵌合組合せて、当該鉢本体の容器内を上下に分割したとき、当該離隔体より下側の部分に付着された保水材により水分の吸水・保持・滲み出しのできる水分調整部を構成するようにしたことを特徴とする保水機能を有する植木鉢。
【請求項２】
前記鉢本体と離隔材とを、生分解性樹脂材にて製造したことを特徴とする請求項１に記載する保水機能を有する植木鉢。
【請求項３】
水分調整部は、長尺なテープ状の保水材を鉢本体の周側壁面の上から下に向けて螺旋状に付着したものと、当該離隔体の下面に保水材を付着したものとの組合せにより構成されるようにしたことを特徴とする請求項１に記載する保水機能を有する植木鉢。
【考案の詳細な説明】
【技術分野】
【０００１】
本考案は、保水性を向上させ、植木鉢内に充填した土壌の水分を常に好適で、且つ長時間保持できるようにした植木鉢に関する。本考案は、特に、乾燥の激しい地域や長期間雨が降らない地域において用いると好適な保水機能を有する植木鉢を提供せんとするものである。
【背景技術】
【０００２】
従来より普及している植木鉢は、有底円筒状で、その底部には、水抜き穴や空気流通孔が設けられているものである。当該一般的な植木鉢は、このような構造にすることにより、充填した土壌への水の溜まりや土壌が酸欠状態になるのを防いで、植物の生育を可能にしている。
【０００３】
ところが当該植木鉢の場合、上面が大きく開口しているので、土壌中の水分の蒸発が激しく、土壌表面部が短時間のうちに乾燥してしまい、続いて深部も次第に乾燥するので、土壌中の水分を適度に保つには頻繁に水分の補給をしなければならないという欠点があった。
【０００４】
本考案者は、上記欠点を解消せんとして研究した結果、植木鉢内の土壌を半球状の離隔体により上下に分割すると共に、この離隔体の中央には大径の通孔部を球壁には小径の通孔部を貫設し、同離隔体の開口部は鉢本体の開口周縁と気密に接合する形状に形成することにより、離隔体の下側の土壌の保水性を向上させて水分の補給が長時間不要な植木鉢を提供した（実公昭５７−４９６５４号）。
【０００５】
また、本考案者は、植木鉢内の土壌を上下に分割するとともに、壁面に大小の通孔を有し、植木鉢の上周縁に気密に接合して用いる半球状の離隔体において、離隔体の開口周縁部を軟質性材料からなる軟質気密部に形成し、軟質気密部の裏面に多条の突起からなる気密ひだ部を形成し、表面には外周縁より中央に向かって任意の等間隔ごとに仮切り込み部を付設したことを特徴とする植木鉢の離隔体を開発し、これによって単一の植木鉢の離隔体でありながら、植木鉢の号数の差異に対応して数種類の大きさ寸法にも適合せしめるようにしたもの（実公平４−２７３１１号）を開発した。
【考案の開示】
【考案が解決しようとする課題】
【０００６】
本考案者は、自ら開発した土壌を半球状の離隔体により上下に分割する方式の植木鉢を使用して植物を育成してみた。すると植木鉢に充填した土壌の保水性を向上させることが出来るので、植物の育成がし易くなった。しかし、これを長期間使用すると、時間が経つにつれて、離隔体の下側の土壌の保水性にむらが出来る現象に気付いた。即ち、長期間使用し続けると、植木鉢に充填した土壌のうち、離隔体の下側の土壌が水分の補給に伴って沈降して離隔体の直下に隙間空間部を形成するようになる。そのうえで昼夜の気温変化が起こると、離隔体の下側の土壌に含まれる水分は隙間空間部に蒸発上昇し、次にこれが露となって水滴となり、この水分が土壌の表面に滞留するという現象が起こる。つまり、地球上の表面で起こっている「水分の蒸発−水滴化−雨として地上に戻り溜まる」といった自然界における水の循環と同様な現象が起こっているのである。
【０００７】
そこで、このような現象の起こる原因を検討したところ、前記隙間空間部における水分の循環現象が長期間の使用によって繰り返されると、次第に土壌中の水分の多くが隙間空間部の土壌表面に集積して、収納した土壌の上部は水分過剰な状態となり、土壌の下部は乾燥した状態になって水分の偏在が顕著になることが解った。これは、従来の一般的な植木鉢中の土壌の上部から乾燥していくのとは、逆の現象である。
【０００８】
本考案は、土壌を半球状の離隔体により上下に分割する方式の植木鉢の場合に、上記のように離隔体の下側の土壌の保水性にむらが出来るという現象に着目して、この保水性のむらを解消し、植木鉢に収納されている土壌が、常に適度に均一な保水性を保持ができるように改良したものである。
【課題を解決するための手段】
【０００９】
実用新案登録を受けようとする第１考案は、有底上面開口型の容器である鉢本体と、当該鉢本体内の土壌を上下に分割する半球状の離隔体とからなり、当該鉢本体は、その底面に水抜き兼空気流通用の通口を穿設するとともに、当該鉢本体の周側壁内面の全部又は一部に保水材を付着してあり、当該離隔体は、その中央部に大径の通孔部を穿設するとともに、その周囲の球壁には小径の通孔部を穿設し、同離隔体の開口部は鉢本体の開口周縁と気密に接合する形状に形成し、更に、当該離隔体の下面には保水材を付着してあり、前記離隔体を前記鉢本体内に嵌合組合せて、当該鉢本体の容器内を上下に分割したとき、当該離隔体より下側の部分に付着された保水材により水分の吸水・保持・滲み出しのできる水分調整部を構成するようにしたことを特徴とする保水機能を有する植木鉢である。
【００１０】
本考案は、土壌を半球状の離隔体により上下に分割する方式の植木鉢を、長期間使用することによって起こる隙間空間部での水分の蒸発、水滴化、沈降した土壌表面に溜まるという現象を、離隔体の下側の部分に設けた水分調整部によって防止せんとするものである。しかも、吸水した水は当該水分調整部によって保持することができ、充填されている土壌が乾燥してきたときに、その水分を滲み出させて土壌の含有水分を調整し、常に好適で、且つ保水性を維持できるようにした植木鉢である。
【００１１】
当該水分調整部は、吸水性のあるスポンジ状の保水材、吸水性ポリマーを含んだ保水材、又は吸水性のある自然素材のいずれかで形成されたものを当該離隔体の下面と離隔体の下側の周壁部に付着させて構成されたものである。当該保水材は、水分の吸水・保持・滲み出し作用のできる保水材であれば、上記の素材に限定されるものではない。更に当該保水材は、その形状がシート状のものであっても、長尺なテープ状の保水材であってもよい。植木鉢の離隔体の下側の部分に、このような保水材で水分調整部を構成したので、収納する土壌や隙間空間に過剰な水分があるときには保水材によって吸収され、適度な保水状態であるときは余分な水分を保持し、乾燥状態になったときは水分を滲み出させることができるのである。
【００１２】
実用新案登録を受けようとする第２考案は、前記鉢本体と離隔材とを、生分解性樹脂材にて製造するようにしたことを特徴とする第１考案に記載する保水機能を有する植木鉢である。
【００１３】
当該第２考案は、前記鉢本体と離隔材とを、生分解性樹脂材にて製造したので、これを土壌中に埋め込んだり、湿度と温度を管理することにより、次第に微生物が分解して土壌にしてくれる。このように本考案に係る植木鉢は分解して最終的には土壌にもどるので、環境保全に役立つものとなる。また、本考案に係る植木鉢にて、種苗を育成し、ある程度成長した段階で移植する場合、植木鉢のまま予定の場所に埋め込むだけで良いので、根を大事にして簡単に移植作業を行うことができる。
【００１４】
実用新案登録を受けようとする第３考案は、水分調整部を、長尺なテープ状の保水材を鉢本体の周壁内面の上から下に向けて螺旋状に付着したものと、当該離隔体の下面に保水材を付着したものとの組合せにより構成されたことを特徴とする第１考案に記載する保水機能を有する植木鉢である。
【００１５】
本考案は、水分調整部を、長尺なテープ状の保水材を用いて、鉢本体の周壁内面の上から下に向けて螺旋状に付着したものである。これは、土壌と保水材との接触面積を大きくすることと、吸水・保持・滲み出し作用のある保水材を鉢本体全体に効率的に水分調整ができるようにしたものである。
【考案の効果】
【００１６】
叙上のように、本考案は、土壌を半球状の離隔体により上下に分割する方式の植木鉢において、鉢本体の周側壁内面の全部又は一部と、離隔体の下側の部分に、保水材で形成された水分調整部を付設するようにしたことを特徴とするもので、これにより長期間使用によって起こる保水性のむらを解消することができ、従来よりも長期間均一で、且つ適切な土壌の水分調整をすることができる。この結果、当該植木鉢での植物の育成が容易であり、水の補給作業の回数を大幅に低減できるものである。
【００１７】
また、本考案に係る保水機能を有する植木鉢は、植木鉢の保水性を向上させ、植木鉢内に充填した土壌の水分を常に好適で、且つ長時間保持できるようにしたので、乾燥の激しい地域や長期間雨が降らない地域においても、植木鉢を利用した植物の育成を容易に行うことができる。
【００１８】
更に、本考案に係る植木鉢の鉢本体と離隔体とを、生分解性樹脂材にて製造した場合には、やがてそれらが分解され土壌となるので、環境保全に役立つことになる。また、この微生物により生分解される性質を利用して、植物の苗を本考案にかかる植木鉢で育成し、そのまま埋め込むだけで、予定の畑や土地に当該植物を安定して植え替えることができる。このように植木鉢のまま埋め込むことにより、根を安定した状態で植物を植え付けることができ、簡便に確実な移植が可能となる。
【００１９】
本考案に係る植木鉢は、以上のように長期間使用によって起す土壌の保水性のむらを解消することができるし、従来よりも長く適切な土壌の水分調整をすることができるため、当該植木鉢での植物の安定した育成が可能となり、水の補給作業も大幅に低減するので、多数の植木鉢を取り扱う業務用に活用するのに最適である。
【考案を実施するための最良の形態】
【００２０】
本考案は、有底上面開口型の容器である鉢本体と、当該鉢本体内の土壌を上下に分割する半球状の離隔体とからなり、前記鉢本体は、その底面に水抜き兼空気流通用の通口を穿設するとともに、当該鉢本体の周側壁内面の一部、特に当該離隔体を組み合わせたとき、その下側になる部分にシート状の保水材を付着しておき、前記離隔体は、その中央部に大径の通孔部を穿設するとともに、その周囲の球壁には小径の通孔部を穿設し、同隔離体の開口部は鉢本体の開口周縁と気密に接合する形状に形成し、更に、当該離隔体の下面には保水材を付着しておき、前記離隔体を鉢本体内に組合せ装着して、当該鉢本体の容器内を上下に分割たとき、離隔体より下側の部分に水分の吸水・保持・滲み出しのできる水分調整部を構成するようにしたことを特徴とする保水機能を有する植木鉢である。
【実施例１】
【００２１】
以下、本考案に係る保水機能を有する植木鉢を、図示実施例に基づいて詳細に説明する。
図１は、本考案に係る保水機能を有する植木鉢の一実施例を示す縦断正面図であり、図２は、本考案に係る保水機能を有する植木鉢の他実施例を示す縦断正面図である。図３は、保水機能を有する植木鉢を構成する離隔体を示す縦断正面図であり、図４は同隔離体の平面図である。図５は、本考案に係る保水機能を有する植木鉢の一実施例に土壌を充填した状態を示す縦断説明図であり、図６は、本考案に係る保水機能を有する植木鉢の一実施例を用いて植物を育成している状態を示す縦断説明図であり、図７は、本考案に係る保水機能を有する植木鉢の他実施例を用いて植物を育成している状態を示す縦断説明図である。
【００２２】
図１は、本考案に係る保水機能を有する植木鉢の一実施例を示す縦断正面図であり、図中の１は、有底上面開口型の容器である鉢本体であり、２は当該鉢本体内の土壌を上下に分割する半球状の離隔体である。当該鉢本体１は、有底上面開口型の容器でその底面に水抜き兼空気流通用の通口３が穿設してあり、当該鉢本体１の周側壁内面４の全部又は一部に保水材５aが付着してある。図１に示した実施例では、吸水性のあるスポンジ状のシート状保水材５aが、鉢本体１の周側壁内面４に付着したものである。
【００２３】
また、当該離隔体２は、半球状にしてその中央部に大径の通孔部６を穿設するとともに、その周囲の球壁には小径の通孔部７，７が穿設してある。また当該離隔体２の上縁開口部８は鉢本体１の開口周縁９と気密に接合する形状に形成し、更に、当該離隔体２の下面には吸水性のあるスポンジ状の保水材５ｂが付着してある。
【００２４】
本発明に係る保水機能を有する植木鉢は、上記のように構成されている前記鉢本体１内に離隔体２が嵌合するように組合せ装着することによって鉢本体１の容器内を上下に分割するのである。それによって前記鉢本体１内の離隔体２の下側には、離隔体２に付着した保水材５ｂと、鉢本体１の周側壁内面４に付着した保水材５ａとの組合せによって水分の吸水・保持・滲み出し作用のできる水分調整部が構成されている。即ち、前記離隔体２を鉢本体１内に組合せ装着して、当該鉢本体１の容器内を上下に分割したとき、離隔体２より下側の部分に水分の吸水・保持・滲み出し作用のできる水分調整部を構成するようにしたものである。
【実施例２】
【００２５】
図２は、本考案に係る保水機能を有する植木鉢の他実施例を示す縦断正面図であり、その図中１は鉢本体であり、２は離隔体である。当該鉢本体１は、有底上面開口型の容器でその底面に水抜き兼空気流通用の通口３が穿設してあり、当該鉢本体１の周側壁内面４の全部又は一部に保水材５ｃが付着してある。図２に示した実施例では、吸水性のある長尺なテープ状の保水材５ｃが、鉢本体１の周側壁内面４の上から下に向けて螺旋状に付着したものである。
【００２６】
また、当該離隔体２は、半球状にしてその中央部に大径の通孔部６を穿設するとともに、その周囲の球壁には小径の通孔部７，７が穿設してある。また当該離隔体２の上縁開口部８は鉢本体１の開口周縁９と気密に接合する形状に形成し、更に、当該離隔体２の下面には吸水性のあるスポンジ状の保水材５ｂが付着してある。
【００２７】
本発明に係る保水機能を有する植木鉢は、上記のように構成されている前記鉢本体１内に離隔体２が嵌合するように組合せ装着することによって鉢本体１の容器内を上下に分割するのである。それによって前記鉢本体１内の離隔体２の下側には、離隔体２に付着した保水材５ｂと、鉢本体１の周側壁内面４に付着した螺旋状の保水材５ｃとの組合せによって水分の吸水・保持・滲み出し作用のできる水分調整部が構成されている。即ち、前記離隔体２を鉢本体１内に組合せ装着して、当該鉢本体１の容器内を上下に分割たとき、離隔体２より下側の部分に水分の吸水・保持・滲み出し作用のできる水分調整部を構成するようにしたものである。
【００２８】
上記のように本考案に係る保水機能を有する植木鉢は、上記のように前記鉢本体１内に離隔体２が嵌合するように組合せ装着することによって鉢本体１の容器内を上下に分割するものであり、それらの鉢本体１内に付着されている保水材５ａと離隔体２に付着されている保水材５ｂによって鉢本体１内の離隔体２の下側に水分調整部が構成されている。
【００２９】
図５は、本考案に係る保水機能を有する植木鉢の一実施例に土壌Ａを充填した状態を示す縦断説明図である。このように土壌Ａを充填した上で、苗を植え付け、水分を補給すると、その水は土壌Ａを沈降させるので鉢本体１内の離隔体２の直下に隙間空間部１０を形成する。図６、図７がその状態を示している。そのうえで気温の上下が起こると離隔体２の下側の土壌Ａに含まれる水分が、隙間空間部１０にて蒸発し、露となって水滴化し、この水分が土壌Ａ表面に溜まるという現象が起こる。これは、地球上の表面で起こっている「水分の蒸発−雲化（水滴化）−降雨として地上に戻る」といった自然界での水の循環と良く似ている現象である。このような前記隙間空間部における水分の循環現象が長期間の使用によって繰り返されると、次第に土壌Ａ中の水分の多くが隙間空間部の土壌Ａ表面に集積して、収納した土壌Ａの上部は水分過剰な状態となり、土壌Ａの下部は乾燥した状態になって水分の偏在が顕著になるのである。
しかるに本考案は、保水材５ａ，５ｂによって鉢本体１内の離隔体２の下側に水分調整部が構成されているので、土壌Ａの上部における過剰な水分は保水材５に吸引され、土壌Ａ下部の乾燥した部分には滲み出すことによって、収納された土壌Ａの水分含量を均一化した状態となる。
【００３０】
その結果、長期間使用によって起す保水性のむらを解消することができ、長期間均一で、且つ適切な土壌Ａの水分調整をすることができる。しかも当該植木鉢での植物Ｂの育成が容易であり、水の補給作業の回数を大幅に低減できるものである。
【００３１】
また、本考案に係る保水機能を有する植木鉢１は、その保水性を向上させ、植木鉢内に充填した土壌Ａの水分を常に均一に、且つ長時間保持できるようにしたので、植物への水の補給作業の回数を大幅に低減できるものである。その結果、乾燥の激しい地域や長期間雨が降らない地域においても、本植木鉢を利用すれば容易に植物Ｂの育成を行うことができるようになった。
【図面の簡単な説明】
【００３２】
【図１】本考案に係る保水機能を有する植木鉢の一実施例を示す縦断正面図である。
【図２】本考案に係る保水機能を有する植木鉢の他実施例を示す縦断正面図である。
【図３】保水機能を有する植木鉢を構成する離隔体を示す縦断正面図である。
【図４】保水機能を有する植木鉢を構成する隔離体の平面図である。
【図５】本考案に係る保水機能を有する植木鉢の一実施例に土壌を充填した状態を示す縦断説明図である。
【図６】本考案に係る保水機能を有する植木鉢の一実施例を用いて植物を育成している状態を示す縦断説明図である。
【図７】本考案に係る保水機能を有する植木鉢の他実施例を用いて植物を育成している状態を示す縦断説明図である。
【符号の説明】
【００３３】
１：鉢本体
２：離隔体
３：通口
４：周側壁内面
５，５ａ，５ｂ，５ｃ：保水材
６：大径の通孔部
７：小径の通孔部
８：上縁開口部
９：開口周縁
１０：隙間空間部
Ａ：土壌
Ｂ：植物
【図１】
0003125639.tif 000003
【図２】
0003125639.tif 000004
【図３】
0003125639.tif 000005
【図４】
0003125639.tif 000006
【図５】
0003125639.tif 000007
【図６】
0003125639.tif 000008
【図７】
0003125639.tif 000009